(57)【要約】【課題】  携帯端末および自動販売機の大きな設計変更を行うことなく、商品の購入にかかわるポイント情報を容易に送信、収集することができ、しかも、携帯端末でのポイント情報の送信に失敗した場合でも再送信可能なポイントシステムおよびポイント発行装置を提供する。【解決手段】  ポイント発行装置１５から最初に発行されたポイント情報およびワンタイムＵＲＬを用いたポイントサーバ３３へのポイント情報の送信に失敗した場合、第２のタイマＴ２の動作中に、携帯端末２０をポイント発行装置のアンテナ部１６に再ざしすることで、ポイント発行装置１５から上記ポイント情報およびワンタイムＵＲＬを再発行させ、このワンタイムＵＲＬを用いてポイントサーバ３３に再接続して上記ポイント情報をポイントサーバ３３に再送信する。【選択図】  図１
2010092084.tif 000002
【特許請求の範囲】
【請求項１】
自動販売機での商品の販売に際して、自動販売機に設けられたポイント発行装置から発行されるポイント情報を前記商品の購入者が携帯する携帯端末を用いてポイントサーバに送信し、該ポイントサーバは、前記携帯端末から送信された前記ポイント情報に含まれるポイントを前記携帯端末の所有者に対応して管理するポイントシステムにおいて、
前記携帯端末は、
前記ポイント発行装置の第１のアンテナ部にかざすことにより該ポイント発行装置と無線通信する第２のアンテナ部と、
前記第１のアンテナ部を介して前記ポイント発行装置から発行された前記ポイント情報を前記第２のアンテナで受信し、前記ポイントサーバにアクセスすることにより前記ポイント情報を前記ポイントサーバに送信する通信手段と
を具備し、
前記ポイント発行装置は、
前記自動販売機で販売された商品が排出されたことを示す商品排出検出信号に基づき起動される第１のタイマと、
前記第１のアンテナを介して前記携帯端末の第２のアンテナと通信することにより前記携帯端末が前記第１のアンテナにかざされたことを検出する検出手段と、
前記第１のタイマの動作中に、前記検出手段により前記携帯端末が前記第１のアンテナにかざされたことが検出された場合、前記ポイント情報および前記ポイントサーバにアクセスするためのワンタイムＵＲＬを発行する発行手段と、
前記検出手段の検出出力にもとづき起動される第２のタイマと、
前記第２のタイマの動作中に、前記検出手段により前記携帯端末が前記第１のアンテナにかざされたことが検出された場合、前記ポイント情報および前記ワンタイムＵＲＬを再発行する再発行手段と
を具備することを特徴とするポイントシステム。
【請求項２】
前記ポイント発行装置は、
前記ポイント情報および前記ワンタイムＵＲＬを一時的に記憶する記憶手段と、
前記第１のタイマの動作中に、前記検出手段により前記携帯端末が前記第１のアンテナにかざされたことが検出されなかった場合、若しくは前記第２のタイマがタイムアウトした場合は、前記記憶手段から前記ポイント情報および前記ワンタイムＵＲＬを消去する消去手段と
を具備することを特徴とする請求項１記載のポイントシステム。
【請求項３】
前記ポイント発行装置は、
前記第１のアンテナの近傍に設けられたかざし誘導ランプと、
待機状態においては前記かざし誘導ランプを第１の態様で点灯制御し、前記第１のタイマ若しくは前記第２のタイマの動作中は、前記かざし誘導ランプを第２の態様で点灯制御することにより前記携帯端末を前記第１のアンテナ部にかざすことを促すランプ点灯制御手段と
を具備することを特徴とする請求項１または２記載のポイントシステム。
【請求項４】
前記発行手段および前記再発行手段は、
前記かざし誘導ランプが第２の態様で点灯中に、前記検出手段により前記携帯端末が前記第１のアンテナにかざされたことが検出された場合、前記ポイント情報および前記ワンタイムＵＲＬを発行することを特徴とする請求項３記載のポイントシステム。
【請求項５】
前記ポイント発行装置は、
前記かざし誘導ランプが第１の態様で点灯中に、前記検出手段により前記携帯端末が前記第１のアンテナにかざされたことが検出された場合、商品の販売促進情報を提供する販売促進サーバにアクセスするためのワンタイムＵＲＬを発行することを特徴とする請求項３記載のポイントシステム。
【請求項６】
前記自動販売機は、
投入された貨幣を処理するための貨幣処理部と、
販売された商品の排出によりカウントアップされる商品排出カウンタと、
前記貨幣処理部および前記商品排出カウンタを制御する主制御部と、
前記貨幣処理部と前記主制御部との間を接続し、貨幣の処理に関する信号を伝送する第１の伝送路と、
前記商品排出カウンタと前記制御部との間を接続し、前記商品排出検出信号を伝送する第２の伝送路と
具備し、
前記ポイント発行装置は、
前記第１の伝送路および前記第２の伝送路に接続されることを特徴とする請求項１乃至５のいずれかに記載のポイントシステム。
【請求項７】
前記自動販売機は、
投入された貨幣を処理するための貨幣処理部と、
販売された商品の排出を制御する商品排出制御部と、
前記貨幣処理部および前記商品排出制御部を制御する主制御部と、
前記貨幣処理部と前記主制御部との間を接続し、貨幣の処理に関する信号および前記商品排出検出信号および排出した商品の種別を示す販売商品種別信号を含む商品販売に関する信号を伝送する伝送路と、
具備し、
前記ポイント発行装置は、
前記伝送路に接続され、前記商品排出検出信号および前記販売商品種別信号に基づき前記ポイント情報を生成して発行することを特徴とする請求項１乃至５のいずれかに記載のポイントシステム。
【請求項８】
自動販売機に設けられ、該自動販売機での商品の販売に際して、ポイント情報を前記商品の購入者が携帯する携帯端末に発行するポイント発行装置であって、
前記自動販売機で販売された商品が排出されたことを示す商品排出検出信号に基づき起動される第１のタイマと、
前記携帯端末と通信する第１のアンテナと、
前記第１のアンテナを介して前記携帯端末の第２のアンテナと通信することにより前記携帯端末が前記第１のアンテナにかざされたことを検出する検出手段と、
前記第１のタイマの動作中に、前記検出手段により前記携帯端末が前記第１のアンテナにかざされたことが検出された場合、前記ポイント情報およびポイントサーバにアクセスするためのワンタイムＵＲＬを発行する発行手段と、
前記検出手段の検出出力にもとづき起動される第２のタイマと、
前記第２のタイマの動作中に、前記検出手段により前記携帯端末が前記第１のアンテナにかざされたことが検出された場合、前記ポイント情報および前記ワンタイムＵＲＬを再発行する再発行手段と
を具備することを特徴とするポイント発行装置。
【請求項９】
前記ポイント情報および前記ワンタイムＵＲＬを一時的に記憶する記憶手段と、
前記第１のタイマの動作中に、前記検出手段により前記携帯端末が前記第１のアンテナにかざされたことが検出されなかった場合、若しくは前記第２のタイマがタイムアウトした場合は、前記記憶手段から前記ポイント情報および前記ワンタイムＵＲＬを消去する消去手段と
を更に具備することを特徴とする請求項８記載のポイント発行装置。
【請求項１０】
前記第１のアンテナの近傍に設けられたかざし誘導ランプと、
待機状態においては前記かざし誘導ランプを第１の態様で点灯制御し、前記第１のタイマ若しくは前記第２のタイマの動作中は、前記かざし誘導ランプを第２の態様で点灯制御することにより前記携帯端末を前記第１のアンテナ部にかざすことを促すランプ点灯制御手段と
を更に具備することを特徴とする請求項８または９記載のポイント発行装置。
【請求項１１】
前記発行手段および前記再発行手段は、
前記かざし誘導ランプが第２の態様で点灯中に、前記検出手段により前記携帯端末が前記第１のアンテナにかざされたことが検出された場合、前記ポイント情報および前記ワンタイムＵＲＬを発行することを特徴とする請求項１０記載のポイント発行装置。
【請求項１２】
前記かざし誘導ランプが第１の態様で点灯中に、前記検出手段により前記携帯端末が前記第１のアンテナにかざされたことが検出された場合、商品の販売促進情報を提供する販売促進サーバにアクセスするためのワンタイムＵＲＬを発行することを特徴とする請求項１０記載のポイント発行装置。
【発明の詳細な説明】
【技術分野】
【０００１】
本発明は、自動販売機での商品の販売に伴ってポイントを発行することで自動販売機で販売する商品の販売促進を図ったポイントシステムおよびポイント発行装置に関する。
【背景技術】
【０００２】
従来、特定商品のプロモーション等において、商品の販売毎にポイントを発行し、当該商品の購入者がポイントを収集して景品等と交換するといったことが行われている。
【０００３】
ここで、ポイントの発行は、各購入者が所有するカードに対してスタンプを押印したり磁気的な記録を行うものや、商品にシール等を貼付しておき、購入者がこのシールを収集する形式のものがある。
【０００４】
しかし、カードを用いる場合には、予めカードを製造して配布する必要があり、また、商品にシールを貼付する場合には、ポイント付与の対象となる全ての商品にシールを貼付する必要があり、販売者の要する手間や費用が大きなものであった。
【０００５】
また、購入者側にとっても、カードを用いる場合には購入者がカードを携帯する必要があり、シールを利用する場合には購入者が収集したシールを台紙に貼って管理する必要があり、特に、自動販売機で購入した清涼飲料水のように必ずしも自宅に持ち帰るとは限らない商品に貼付されたシールを収集するには、シールのみを別途持ち帰るか、台紙を常に持ち歩く必要があり、さらにポイントによるサービスを受けようとする場合には、カードやシールを貼付した台紙を販売者に郵送する等が必要となり、多大な手間と費用を要するものであった。
【０００６】
そこで、特許文献１に示すように、自動販売機にポイント情報を発行するポイント発行装置を設け、自動販売機で商品を購入した利用者は、商品の販売に際して自動販売機のポイント発行装置から発行されたポイント情報を該利用者が携帯する携帯電話機を用いてポイントを管理するセンタ装置に送信するようにしたプロモーション方法およびシステムが提案されている。
【特許文献１】特開２００１−１６７３３２号公報
【発明の開示】
【発明が解決しようとする課題】
【０００７】
上述した特許文献１に示す構成によると、自動販売機で商品を購入した利用者は、該利用者が携帯する携帯電話機を用いてポイント情報をセンタ装置に送信することができるので、自動販売機での商品の購入にかかわるポイントの収集および利用が容易になるが、携帯電話機を用いてポイント情報をセンタ装置に送信するためには、センタ装置のＵＲＬ等を知っている必要があり、また、センタ装置のＵＲＬ等を知っていたとしても、ポイント情報をセンタ装置に送信するための携帯電話機等の携帯端末の操作が複雑であリ、その結果、自動販売機での商品の購入にかかわるポイントの有効利用ができないという問題があった。
【０００８】
また、ポイント発行装置は、一旦ポイント情報を発行すると、このポイント情報の再発行は行わないので、例えば、携帯端末でのポイント情報の送信に失敗すると、このポイント情報は捨てざるを得なかった。
【０００９】
そこで、本発明は、携帯端末および自動販売機の大きな設計変更を行うことなく、商品の購入にかかわるポイント情報を容易に送信、収集することができ、しかも、携帯端末でのポイント情報の送信に失敗した場合でも再送信可能なポイントシステムおよびポイント発行装置を提供することを目的とする。
【課題を解決するための手段】
【００１０】
上記目的を達成するため、請求項１の発明は、自動販売機での商品の販売に際して、自動販売機に設けられたポイント発行装置から発行されるポイント情報を前記商品の購入者が携帯する携帯端末を用いてポイントサーバに送信し、該ポイントサーバは、前記携帯端末から送信された前記ポイント情報に含まれるポイントを前記携帯端末の所有者に対応して管理するポイントシステムにおいて、前記携帯端末は、前記ポイント発行装置の第１のアンテナ部にかざすことにより該ポイント発行装置と無線通信する第２のアンテナ部と、前記第１のアンテナ部を介して前記ポイント発行装置から発行された前記ポイント情報を前記第２のアンテナで受信し、前記ポイントサーバにアクセスすることにより前記ポイント情報を前記ポイントサーバに送信する通信手段とを具備し、前記ポイント発行装置は、前記自動販売機で販売された商品が排出されたことを示す商品排出検出信号に基づき起動される第１のタイマと、前記第１のアンテナを介して前記携帯端末の第２のアンテナと通信することにより前記携帯端末が前記第１のアンテナにかざされたことを検出する検出手段と、前記第１のタイマの動作中に、前記検出手段により前記携帯端末が前記第１のアンテナにかざされたことが検出された場合、前記ポイント情報および前記ポイントサーバにアクセスするためのワンタイムＵＲＬを発行する発行手段と、前記検出手段の検出出力にもとづき起動される第２のタイマと、前記第２のタイマの動作中に、前記検出手段により前記携帯端末が前記第１のアンテナにかざされたことが検出された場合、前記ポイント情報および前記ワンタイムＵＲＬを再発行する再発行手段とを具備することを特徴とする。
【００１１】
また、請求項２の発明は、請求項１の発明において、前記ポイント発行装置は、前記ポイント情報および前記ワンタイムＵＲＬを一時的に記憶する記憶手段と、前記第１のタイマの動作中に、前記検出手段により前記携帯端末が前記第１のアンテナにかざされたことが検出されなかった場合、若しくは前記第２のタイマがタイムアウトした場合は、前記記憶手段から前記ポイント情報および前記ワンタイムＵＲＬを消去する消去手段とを具備することを特徴とする。
【００１２】
また、請求項３の発明は、請求項１または２の発明において、前記ポイント発行装置は、前記第１のアンテナの近傍に設けられたかざし誘導ランプと、待機状態においては前記かざし誘導ランプを第１の態様で点灯制御し、前記第１のタイマ若しくは前記第２のタイマの動作中は、前記かざし誘導ランプを第２の態様で点灯制御することにより前記携帯端末を前記第１のアンテナ部にかざすことを促すランプ点灯制御手段とを具備することを特徴とする。
【００１３】
また、請求項４の発明は、請求項３の発明において、前記発行手段および前記再発行手段は、前記かざし誘導ランプが第２の態様で点灯中に、前記検出手段により前記携帯端末が前記第１のアンテナにかざされたことが検出された場合、前記ポイント情報および前記ワンタイムＵＲＬを発行することを特徴とする。
【００１４】
また、請求項５の発明は、請求項３の発明において、前記ポイント発行装置は、前記かざし誘導ランプが第１の態様で点灯中に、前記検出手段により前記携帯端末が前記第１のアンテナにかざされたことが検出された場合、商品の販売促進情報を提供する販売促進サーバにアクセスするためのワンタイムＵＲＬを発行することを特徴とする。
【００１５】
また、請求項６の発明は、請求項１乃至５のいずれかの発明において、前記自動販売機は、投入された貨幣を処理するための貨幣処理部と、販売された商品が排出される毎にカウントアップされる商品排出カウンタと、前記貨幣処理部および前記商品排出カウンタを制御する主制御部と、前記貨幣処理部と前記主制御部との間を接続し、貨幣の処理に関する信号を伝送する第１の伝送路と、前記商品排出カウンタと前記制御部との間を接続し、前記商品排出検出信号を伝送する第２の伝送路と具備し、前記ポイント発行装置は、前記第１の伝送路および前記第２の伝送路に接続されることを特徴とする。
【００１６】
また、請求項７の発明は、請求項１乃至５のいずれかの発明において、前記自動販売機は、投入された貨幣を処理するための貨幣処理部と、販売された商品の排出を制御する商品排出制御部と、前記貨幣処理部および前記商品排出制御部を制御する主制御部と、前記貨幣処理部と前記主制御部との間を接続し、貨幣の処理に関する信号および前記商品排出検出信号および排出した商品の種別を示す販売商品種別信号を含む商品販売に関する信号を伝送する伝送路と、具備し、前記ポイント発行装置は、前記伝送路に接続され、前記商品排出検出信号および前記販売商品種別信号に基づき前記ポイント情報を生成して発行することを特徴とする。
【００１７】
また、請求項８の発明は、自動販売機に設けられ、該自動販売機での商品の販売に際して、ポイント情報を前記商品の購入者が携帯する携帯端末に発行するポイント発行装置であって、前記自動販売機で販売された商品が排出されたことを示す商品排出検出信号に基づき起動される第１のタイマと、前記携帯端末と通信する第１のアンテナと、前記第１のアンテナを介して前記携帯端末の第２のアンテナと通信することにより前記携帯端末が前記第１のアンテナにかざされたことを検出する検出手段と、前記第１のタイマの動作中に、前記検出手段により前記携帯端末が前記第１のアンテナにかざされたことが検出された場合、前記ポイント情報およびポイントサーバにアクセスするためのワンタイムＵＲＬを発行する発行手段と、前記検出手段の検出出力にもとづき起動される第２のタイマと、前記第２のタイマの動作中に、前記検出手段により前記携帯端末が前記第１のアンテナにかざされたことが検出された場合、前記ポイント情報および前記ワンタイムＵＲＬを再発行する再発行手段とを具備することを特徴とする。
【００１８】
また、請求項９の発明は、請求項８の発明において、前記ポイント情報および前記ワンタイムＵＲＬを一時的に記憶する記憶手段と、前記第１のタイマの動作中に、前記検出手段により前記携帯端末が前記第１のアンテナにかざされたことが検出されなかった場合、若しくは前記第２のタイマがタイムアウトした場合は、前記記憶手段から前記ポイント情報および前記ワンタイムＵＲＬを消去する消去手段とを更に具備することを特徴とする。
【００１９】
また、請求項１０の発明は、請求項８または９の発明において、前記第１のアンテナの近傍に設けられたかざし誘導ランプと、待機状態においては前記かざし誘導ランプを第１の態様で点灯制御し、前記第１のタイマ若しくは前記第２のタイマの動作中は、前記かざし誘導ランプを第２の態様で点灯制御することにより前記携帯端末を前記第１のアンテナ部にかざすことを促すランプ点灯制御手段とを更に具備することを特徴とする。
【００２０】
また、請求項１１の発明は、請求項１０の発明において、前記発行手段および前記再発行手段は、前記かざし誘導ランプが第２の態様で点灯中に、前記検出手段により前記携帯端末が前記第１のアンテナにかざされたことが検出された場合、前記ポイント情報および前記ワンタイムＵＲＬを発行することを特徴とする。
【００２１】
また、請求項１２の発明は、請求項１０の発明において、前記かざし誘導ランプが第１の態様で点灯中に、前記検出手段により前記携帯端末が前記第１のアンテナにかざされたことが検出された場合、商品の販売促進情報を提供する販売促進サーバにアクセスするためのワンタイムＵＲＬを発行することを特徴とする。
【発明の効果】
【００２２】
本発明によれば、携帯端末および自動販売機の大きな設計変更を行うことなく、商品の購入にかかわるポイント情報を容易に送信、収集することができ、しかも、携帯端末でのポイント情報の送信に失敗した場合でも再送信可能なポイントシステムおよびポイント発行装置を提供することができる。
【００２３】
また、本発明によれば、携帯端末および自動販売機の大きな設計変更を行うことなく、商品の販売促進情報を提供する販売促進サーバに容易にアクセスすることができる。
【発明を実施するための最良の形態】
【００２４】
以下、本発明に係わるポイントシステムおよびポイント発行装置の実施例を添付図面を参照して詳細に説明する。
【実施例１】
【００２５】
図１は、本発明に係わるポイントシステムの実施例１の概略構成を示すブロック図である。
【００２６】
図１において、このポイントシステム１００は、自動販売機１０と、携帯端末２０と、インタネット３０に接続されたコンテンツサーバ３１、販売促進サーバ３２、ポイントサーバ３３とを具備して構成される。
【００２７】
自動販売機１０は、主制御部１１、硬貨処理部１２、紙幣処理部１３、商品排出カウンタ１４１、ポイント発行装置１５、ポイント発行装置１５に接続されたアンテナ部１６を具備し、硬貨処理部１２、紙幣処理部１３は、第１の伝送ケーブル１７を介して主制御部１１に接続され、商品排出カウンタ１４１は第２の伝送ケーブル１８を介して主制御部１１に接続され、ポイント発行装置１５は、第１の伝送ケーブル１７上の接続点１７ａとケーブル１９ａを介して接続されるとともに、第２の伝送ケーブル１８上の接続点１８ａとケーブル１９ｂを介して接続される。
【００２８】
主制御部１１は、自動販売機１０の全体の制御を行うもので、硬貨処理部１２、紙幣処理部１３、商品排出カウンタ１４１は、この主制御部１１により制御される。
【００２９】
硬貨処理部１２は、この自動販売機１０に投入された硬貨の識別、振り分け、および主制御部１１からの指示による釣銭の払い出し等を行う。
【００３０】
紙幣処理部１３この自動販売機１０に投入された紙幣の識別、主制御部１１からの指示による紙幣の払い出し等を行う。
【００３１】
商品排出カウンタ１４１は、主制御部１１からの商品排出検出信号によりカウントアップし、排出された商品の数を計数する。
【００３２】
ポイント発行装置１５は、接続点１７ａ、ケーブル１９ａを介して第１の伝送ケーブル１７から給電を受けるとともに、接続点１８ａ、ケーブル１９ｂを介して第２の伝送ケーブル１８から商品排出検出信号を受信することにより、自動販売機１０での商品の販売に際して、ポイント情報およびこのポイント情報を送信するためのワンタイムＵＲＬを生成して発行し、このポイント情報およびワンタイムＵＲＬをアンテナ部１６を介して携帯端末２０の送信する。
【００３３】
ここで、商品排出検出信号は、商品が１個排出される毎に生じるパルス信号で、ポイント発行装置１５におけるポイント情報の生成は、排出された商品の個数に対応して生成される。
【００３４】
携帯端末２０は、このシステムの利用者が携帯する携帯電話機等であり、この携帯端末２０は、ポイント発行装置１５のアンテナ部１６にかざされたときに、アンテナ部１６を介して通信する通信機能を有し、この通信機能により、ポイント発行部１５のアンテナ部１６から送信されたポイント情報およびワンタイムＵＲＬを受信し、ワンタイムＵＲＬに基づきインターネット３０を介してポイントを管理するポイントサーバ３３にアクセスして、ポイント情報をポイントサーバ３３へ送信する。
【００３５】
ポイントサーバ３３は、携帯端末２０から送信されたポイント情報に含まれるポイントを各携帯端末２０の識別情報に対応して集計管理する。
【００３６】
なお、インターネット３０に接続されたコンテンツサーバ３１は、ポイントサーバ３３で集計管理されたポイントを交換するための各種コンテンツを管理するものであり、販売促進サーバ３２は、このシステムに関する各種販売促進情報を管理するものである。
【００３７】
図２は、図１に示したポイント発行装置１５の詳細を示すブロック図である。
【００３８】
図２に示すポイント発行装置１５は、制御部２０１、商品排出検出信号受信部２０２、ポイント情報生成部２０３、ワンタイムＵＲＬ生成部２０４、一時記憶部２０５、携帯端末検出部２０６、認証部２０７、タイマ部２０８、タッチ成功音発生部２０９、音声案内部２１０、かざし誘導ランプ制御部２１１、アンテナ部１６をケーブル２１４を介して接続して構成され、アンテナ部１６には、かざし誘導ランプ２１３が接続される。
【００３９】
制御部２０１は、このポイント発行装置１５全体を制御するものであり、商品排出検出信号受信部２０２は、図１に示した接続部１８ａ、ケーブル１９ｂを介して商品排出検出信号を受信するものである。
【００４０】
ポイント情報生成部２０３は、商品排出検出信号受信部２０２で受信した商品排出検出信号に基づきポイント情報を生成する。
【００４１】
ここで、ポイント情報は、モジュールコードおよびシークレットコードを含み、モジュールコードは、ポイント発行装置１５およびポイント発行装置１５が設置された自動販売機１０を識別するもので、このポイントシステムにおいては、このモジュールコードに対応して自動販売機１０の状態を管理する。また、シークレットコードは、ポイント発行番号、ポイント数、パリティ等が含まれる、ここで、ポイント発行番号は、ポイント発行装置１５からポイントが発行される毎にそれぞれ発行される連続番号または乱数番号で、このポイント発行番号は、このポイント情報の二重使用のチェックおよび不正使用のチェックを行うために利用される。
【００４２】
すなわち、ポイントサーバ３３で受け付けたポイント情報のポイント発行番号が既に受け付け済みのポイント情報のポイント発行番号と同一であれば、二重使用と判断し、また、ポイントサーバ３３で受け付けたポイント情報のポイント発行番号が前回正当なものとして受け入れたポイント情報のポイント発行番号から異常に離れている場合は、このポイント情報は不正使用の可能性有りと判断する。
【００４３】
また、第２タイマー動作中に再発行されたポイント情報が、最初にかざされた携帯端末２０以外の携帯端末であったときは、ポイントサーバ３３でポイント情報と携帯端末を認証して不正使用の可能性ありと判断して、携帯端末に対して拒絶する何らのメッセージを送信させるようにする。
【００４４】
また、ポイント数は、販売毎に利用者が取得するポイント数であり、また、パリティは、利用者から送信されるポイント情報が暗号化、復号化プロセスを含む伝送途中で誤りや改竄がないことをチェックするための付加情報で、この付加情報としてはハッシュ関数や巡回符号等を用いることができる。このシークレットコードは、これらの情報を予め記憶された暗号鍵により暗号化することにより生成される。
【００４５】
ワンタイムＵＲＬ生成部２０４は、携帯端末２０がポイントサーバ３３にアクセスするためのワンタイムＵＲＬを生成する。
【００４６】
一時記憶部２０５は、ポイント情報生成部２０３で生成されたポイント情報およびワンタイムＵＲＬ生成部２０４で生成したワンタイムＵＲＬを一時記憶する。
【００４７】
携帯端末検出部２０６は、アンテナ部１６に携帯端末２０がかざされことを検出するものであり、認証部２０７は、携帯端末２０とのアンテナ部１６を介する通信により、この携帯端末２０がこのシステムで利用可かの認証を行うものである。
【００４８】
タイマ部２０８は、後に詳述するタイマＴ１およびタイマＴ２として機能するものである。
【００４９】
タッチ成功音発生部２０９は、携帯端末検出部２０６により携帯端末２０がかざされたことが検出され、かつ、認証部２０７で、この携帯端末２０がこのシステムを利用可と認証された場合に、タッチ成功音を発生するものである。
【００５０】
音声案内部２１０は、例えば「携帯をタッチして下さい」、「後５秒です」等の携帯端末２０をアンテナ部１６にかざすことを促す音声案内を行うものである。
【００５１】
かざし誘導ランプ制御部２１１は、このポイント発行装置１５の待機状態においては、アンテナ部１６に設けられたかざし誘導ランプ２１３を点滅させ、アンテナ部１６からのポイント情報およびワンタイムＵＲＬの送信時には、携帯端末２０をアンテナ部１６にかざすことを促すためにかざし誘導ランプ２１３を連続点灯制御するものである。
【００５２】
アンテナ部１６は、携帯端末２０に対してポイント情報およびワンタイムＵＲＬを送信するために、携帯端末２０と通信するものであり、かざし誘導ランプ２１３は、携帯端末２０をアンテナ部１６にかざすことを促す状態において連続点灯する。
【００５３】
なお、このポイント発行装置１５は、かざし誘導ランプ２１３が点滅しているとき、携帯端末２０をアンテナ部１６にかざすと、図１に示した販売促進サイト（販売促進サーバ３２）にアクセスするためのワンタイムＵＲＬを発行し、この販売促進サーバ３２にアクセスするためのワンタイムＵＲＬをアンテナ部１６から携帯端末２０に送信し、携帯端末２０は、このワンタイムＵＲＬを用いて販売促進サーバ３２にアクセスすることができるように構成されている。
【００５４】
図３は、図２に示したアンテナ部１６およびかざし誘導ランプ２１３の一例を示す図である。
【００５５】
図３において、アンテナ部１６は、例えば、自動販売機１０の外面の紙幣処理部１３の紙幣投入口形成部に取り付けられた取付け板３００上に設けられ、かざし誘導ランプ２１３は、このアンテナ部１６を囲むようにして設けられる。
【００５６】
ここで、かざし誘導ランプ２１３は、ポイント発行装置１５の待機状態には、点滅点灯し、アンテナ部１６からのポイント情報およびワンタイムＵＲＬの送信時には、連続点灯する。
【００５７】
図４は、図２に示したポイント発行装置１５の動作を説明するフローチャートである。  図４の初期状態において、かざし誘導ランプ制御部２１１は、かざし誘導ランプ２１３を点滅制御している（ステップ４０１）。
【００５８】
この状態で、携帯端末検出部２０６により携帯端末２０が検出されたか、すなわち携帯端末２０がアンテナ部１６にかざされたかを調べる（ステップ４０２）。ここで、携帯端末２０がかざされていると（ステップ４０２でＹＥＳ）、ポイント発行装置１５は、販売促進サイト、すなわち販売促進サーバ３２にアクセスするためのワンタイムＵＲＬを発行し（ステップ４０３）、この販売促進サーバ３２にアクセスするためのワンタイムＵＲＬを携帯端末２０に送信して、このポイント発行装置１５の処理を終了する。
【００５９】
ステップ４０２で、携帯端末２０がかざされていないと判断されると（ステップ４０２でＮＯ）、次に、商品排出検出信号を受信したかを調べる（ステップ４０４）。ここで、商品排出検出信号を受信していない場合は（ステップ４０４でＮＯ）、ステップ４０２に戻るが、商品排出検出信号を受信したと判断されると（ステップ４０４でＹＥＳ）、ポイント情報生成部２０３でポイント情報を生成するとともに、ワンタイムＵＲＬ生成部２０４で携帯端末２０がポイントサーバ３３にアクセスするためのワンタイムＵＲＬを生成する（ステップ４０５）。
【００６０】
次に、かざし誘導ランプ２１３を点滅から点灯に変え（ステップ４０６）、タイマ時間ｔ１のタイマＴ１を起動し（ステップ４０７）、生成されたポイント情報およびポイントサーバ３３にアクセスするためのワンタイムＵＲＬを一時記憶部２０５に記憶する（ステップ４０８）。
【００６１】
この状態で、携帯端末検出部２０６により携帯端末２０が検出されたか、すなわち携帯端末２０がアンテナ部１６にかざされたかを調べる（ステップ４０９）。ここで、携帯端末２０がかざされていない場合は（ステップ４０９でＮＯ）、次に、タイマＴ１がタイムアウトしたかを調べ（ステップ４１１）、タイムアウトしていない場合は（ステップ４１１でＮＯ）、ステップ４０９に戻り、携帯端末２０がかざされるのを待つが、タイムアウトした場合は（ステップ４１１でＹＥＳ）、ステップ４１６に進む。
【００６２】
ステップ４０９で、携帯端末２０がかざされたと判断されると（ステップ４０９でＹＥＳ）、一時記憶部２０５に記憶されたポイント情報およびポイントサーバ３３にアクセスするためのワンタイムＵＲＬを発行する（ステップ４１０）。
【００６３】
そして、タイマ時間ｔ２のタイマＴ２を起動し（ステップ４１２）、再び、携帯端末検出部２０６により携帯端末２０が検出されたか、すなわち携帯端末２０がアンテナ部１６にかざされたかを調べる（ステップ４１３）。ここで、携帯端末２０がかざされていない場合は（ステップ４１３でＮＯ）、次に、タイマＴ２がタイムアウトしたかを調べ（ステップ４１５）、タイムアウトしていない場合は（ステップ４１５でＮＯ）、ステップ４１３に戻り、携帯端末２０がかざされるのを待つが、タイムアウトした場合は（ステップ４１５でＹＥＳ）、ステップ４１６に進む。
【００６４】
ステップ４１３で、携帯端末２０がかざされたことが検出されると（ステップ４１３でＹＥＳ）、一時記憶部２０５に記憶されたポイント情報およびポイントサーバ３３にアクセスするためのワンタイムＵＲＬを再発行し（ステップ４１４）、ステップ４１６に進む。
【００６５】
ステップ４１６では、一時記憶部２０５に記憶されたポイント情報およびポイントサーバ３３にアクセスするためのワンタイムＵＲＬをクリアし（ステップ４１６）、かざし誘導ランプ２１３を一旦消灯させ（ステップ４１７）、このポイント発行装置１５の処理を終了する。
【００６６】
図５は、図１に示したポイントシステム１００で、ポイント情報が携帯端末２０からポイントサーバ３３へ正常に送信された場合の動作を示すシーケンスチャートである。
【００６７】
かざし誘導ランプ２１３が点滅している状態で（ステップ５０１）、商品排出検出信号受信部２０２で商品排出検出信号を受信すると、該商品排出検出信号に係わる商品に対応するポイント情報をポイント情報生成部２０３で生成し（ステップ５０２）、かざし誘導ランプ制御部２１１により、かざし誘導ランプ２１３を点滅から点灯に変更し（ステップ５０３）、音声案内部２１０により、例えば、「携帯をタッチして下さい」というかざし誘導音声案内をして（ステップ５０４）、タイマ部２０８のタイマＴ１を起動する（ステップ５０５）。
【００６８】
ここで、ポイント情報生成部２０３で生成されたポイント情報およびワンタイムＵＲＬ生成部２０４で生成されたポイントサーバ３３のワンタイムＵＲＬは、一時記憶部２０５に記憶される（ステップ５０６）。
【００６９】
この状態で、携帯端末２０がアンテナ部１６にかざされると、携帯端末検出部２０６により、これを検出して、認証部２０７と携帯端末２０との間の通信により相互認証が行われる。
【００７０】
認証部２０７による相互認証により、この携帯端末２０がこのシステムで利用可と認証されると、タッチ成功音発生部２０９により、タッチ成功音を鳴動する（ステップ５０７）。
【００７１】
そして、上記一時記憶部２０５に記憶されたポイント情報およびワンタイムＵＲＬを発行して、これを携帯端末２０に送信する。
【００７２】
携帯端末２０は、上記ポイント情報および上記ワンタイムＵＲＬを受信すると、ポイントサイト（ポイントサーバ３３）にアクセスするためのブラウザを起動し（ステップ５０８）、上記ワンタイムＵＲＬを用いてポイントサーバ３３に接続し（ステップ５０９）、上記ポイント情報をポイントサーバ３３に送信する。
【００７３】
ポイント発行装置１５は、上記ポイント情報および上記ワンタイムＵＲＬを送信すると、タイマ部２０８のタイマＴ１を解除し（ステップ５１０）、続いてタイマ部２０８のタイマＴ２を起動する（ステップ５１１）。そして、タイマＴ２がタイムアップすると、タイマＴ２を解除し（ステップ５１２）、上記一時記憶部２０５に記憶したポイント情報およびワンタイムＵＲＬをクリアする（ステップ５１３）。
【００７４】
そして、かざし誘導ランプ２１３を一旦消灯させ（ステップ５１４）、待機状態に戻る。
【００７５】
図６は、携帯端末２０におけるポイントサーバ３３に対する接続操作を説明する図である。
【００７６】
携帯端末２０は、ポイント発行装置１５からポイント情報およびポイントサイト（ポイントサーバ３３）にアクセスするためのワンタイムＵＲＬを受信すると、ポイントサイトへアクセスするためのブラウザを自動起動して、図６（Ａ）に示すポイントサイトへの誘導画面を表示する。
【００７７】
この図６（Ａ）に示すポイントサイトへの誘導画面において、「ＯＫ」を選択すると、図６（Ｂ）に示すポイントサイトへのアクセス確認画面になり、この画面において「はい」を選択すると、ポイントサーバ３３に接続され、図６（Ｃ）に示すポイントサイトの画面になる。このとき、ポイント発行装置１５から受信したポイント情報は自動的にポイントサーバ３３に送信される。
【００７８】
図７は、図１に示したポイントシステム１００で、ポイント情報を発行したが、携帯端末２０でこのポイント情報のポイントサーバ３３への送信に失敗した場合の動作を示すシーケンスチャートである。なお、図７のステップ７０１からステップ７０６までの動作は、図５ステップ５０１からステップ５０６までの動作と同様である。
【００７９】
すなわち、かざし誘導ランプ２１３が点滅している状態で（ステップ７０１）、商品排出検出信号を受信すると、該商品排出検出信号に係わる商品に対応するポイント情報を生成し（ステップ７０２）、かざし誘導ランプ２１３を点滅から点灯に変更し（ステップ７０３）、携帯端末２０のかざし誘導音声案内をして（ステップ７０４）、タイマＴ１を起動する（ステップ７０５）。
【００８０】
ここで、ステップ７０２で生成されたポイント情報およびポイントサーバ３３のワンタイムＵＲＬは、一時記憶部２０５に記憶される（ステップ７０６）。
【００８１】
この状態で、携帯端末２０がかざされると、これを検出して、相互認証が行われ、この相互認証により、この携帯端末２０がこのシステムで利用可と認証されると、タッチ成功音を鳴動する（ステップ７０７）。
【００８２】
そして、上記一時記憶部２０５に記憶されたポイント情報およびワンタイムＵＲＬを発行して、これを携帯端末２０に送信する。
【００８３】
携帯端末２０は、上記ポイント情報および上記ワンタイムＵＲＬを受信すると、ポイントサイトにアクセスするためのブラウザを起動して、上記ワンタイムＵＲＬを用いてポイントサーバ３３に接続し、上記ポイント情報をポイントサーバ３３に送信する動作が行われるが、ここで、携帯端末２０が誤動作して、上記ポイント情報が正常にポイントサーバ３３に送信できなかったとする。
【００８４】
しかし、ポイント発行装置１５では、タッチ成功音を鳴動すると、タイマＴ１を解除し（ステップ７０８）、タイマＴ２を起動する（ステップ７０９）。
【００８５】
この状態で、携帯端末２０の再かざしが行われると、これが検出されて相互認証が行われ、この相互認証により、この携帯端末２０がこのシステムで利用可と認証されると、タッチ成功音を鳴動する（ステップ７１０）。
【００８６】
そして、上記一時記憶部２０５に記憶されたポイント情報およびワンタイムＵＲＬが再発行され、これが携帯端末２０に再送信される。
【００８７】
携帯端末２０は、上記再送されたポイント情報およびワンタイムＵＲＬの受信により、ポイントサイト（ポイントサーバ３３）にアクセスするためのブラウザを再起動し（ステップ７１１）、上記ワンタイムＵＲＬを用いてポイントサーバ３３に再接続し（ステップ７１２）、上記ポイント情報をポイントサーバ３３に送信することができる。
【００８８】
ポイント発行装置１５は、上記ポイント情報および上記ワンタイムＵＲＬを送信すると、タイマＴ２を解除し（ステップ７１３）、上記一時記憶部２０５に記憶したポイント情報およびワンタイムＵＲＬをクリアし（ステップ７１４）、かざし誘導ランプ２１３を一旦消灯させ（ステップ７１５）、待機状態に戻る。
【００８９】
上記構成によると、ポイント発行装置１５から最初に発行されたポイント情報およびワンタイムＵＲＬを用いたポイントサーバ３３へのポイント情報の送信に失敗したとしても、タイマＴ２の動作中であれば、携帯端末２０を再度かざすことで、一時記憶部２０５に記憶されたポイント情報およびワンタイムＵＲＬを用いることで、ポイント発行装置１５から上記ポイント情報およびワンタイムＵＲＬを再発行させ、これを携帯端末２０に再送信させることができ、携帯端末２０は、上記再送されたポイント情報およびワンタイムＵＲＬの受信により、ポイントサイト（ポイントサーバ３３）にアクセスするためのブラウザを再起動し（ステップ７１１）、上記ワンタイムＵＲＬを用いてポイントサーバ３３に再接続し（ステップ７１２）、上記ポイント情報をポイントサーバ３３に送信することができる。
【００９０】
なお、この場合、ポイント発行装置１５から最初に発行されたポイント情報およびワンタイムＵＲＬを用いたポイントサーバ３３へのポイント情報の送信に成功したのにもかかわらず、タイマＴ２の動作中に携帯端末２０を再かざしした場合は、２重にポイント情報をポイントサーバ３３に送ることが可能になるが、この場合、ポイント情報のシークレットコードに含まれるポイント発行番号が同じであるので、このポイント発行番号により後から送信されたポイント情報が排除される。
【００９１】
図８は、図１に示したポイントシステム１００で、ポイント情報が携帯端末２０からポイントサーバ３３へ正常に送信された場合の他の動作を示すシーケンスチャートである。図８においては、複数の商品（図８の場合は２つの商品）を連続販売した場合の動作を示している。なお、図８のステップ８０１からステップ８０６までの動作は、図５ステップ５０１からステップ５０６までの動作と同様である。
【００９２】
すなわち、かざし誘導ランプ２１３が点滅している状態で（ステップ８０１）、商品排出検出信号を受信すると、該商品排出検出信号に係わる商品に対応するポイント情報を生成し（ステップ８０２）、かざし誘導ランプ２１３を点滅から点灯に変更し（ステップ８０３）、携帯端末２０のかざし誘導音声案内をして（ステップ８０４）、タイマＴ１を起動する（ステップ８０５）。
【００９３】
ここで、ステップ８０２で生成されたポイント情報およびポイントサーバ３３のワンタイムＵＲＬは、一時記憶部２０５に記憶される（ステップ８０６）。
【００９４】
そして、連続販売における次の販売商品の商品排出検出信号を受信したとする。この場合、一時記憶部２０５に記憶した上記ポイント情報を上記商品排出検出信号に係わる商品を加えたポイント情報で更新する（ステップ８０７）。
【００９５】
この状態で、携帯端末２０がかざされると、これを検出して、相互認証を行い、相互認証により、この携帯端末２０がこのシステムで利用可と認証されると、タッチ成功音を鳴動する（ステップ８０８）。
【００９６】
そして、上記一時記憶部２０５に記憶された更新されたポイント情報およびワンタイムＵＲＬを発行して、これを携帯端末２０に送信する。
【００９７】
携帯端末２０は、上記ポイント情報および上記ワンタイムＵＲＬを受信すると、ポイントサイト（ポイントサーバ３３）にアクセスするためのブラウザを起動し（ステップ８０９）、上記ワンタイムＵＲＬを用いてポイントサーバ３３に接続し（ステップ８１０）、上記ポイント情報をポイントサーバ３３に送信する。
【００９８】
ポイント発行装置１５は、上記ポイント情報および上記ワンタイムＵＲＬを送信すると、タイマＴ１を解除し（ステップ８１１）、続いてタイマＴ２を起動する（ステップ８１２）。そして、タイマＴ２がタイムアップすると、タイマＴ２を解除し（ステップ８１３）、上記一時記憶部２０５に記憶したポイント情報およびワンタイムＵＲＬをクリアし（ステップ８１４）、かざし誘導ランプ２１３を一旦消灯させ（ステップ８１５）、待機状態に戻る。
【００９９】
図９は、図１に示したポイントシステム１００で、ポイント発行装置１５が、商品排出検出信号を受信し、かざし誘導ランプ２１３を点灯させ、かざし誘導音声案内をしたが、携帯端末２０で何もしなかった場合の動作を示すシーケンスチャートである。なお、図９のステップ９０１からステップ９０６までの動作は、図５ステップ５０１からステップ５０６までの動作と同様である。
【０１００】
すなわち、かざし誘導ランプ２１３が点滅している状態で（ステップ９０１）、商品排出検出信号を受信すると、該商品排出検出信号に係わる商品に対応するポイント情報を生成し（ステップ９０２）、かざし誘導ランプ２１３を点滅から点灯に変更し（ステップ９０３）、携帯端末２０のかざし誘導音声案内をして（ステップ９０４）、タイマＴ１を起動する（ステップ９０５）。
【０１０１】
ここで、ステップ９０２で生成されたポイント情報およびポイントサーバ３３のワンタイムＵＲＬは、一時記憶部２０５に記憶される（ステップ９０６）。
【０１０２】
この状態で、携帯端末２０のかざし操作が全く行われなかったとする。この場合、タイマＴ１のタイマ時間ｔ１の経過前、例えば、５秒前になると、音声案内部２１０で、「後５秒です」等のかざし誘導音声案内を行い（ステップ９０７）、それでも、携帯端末２０のかざし操作が行われずに、タイマＴ１がタイムアウトすると、タイマＴ１を解除し（ステップ９０８）、上記一時記憶部２０５に記憶したポイント情報およびワンタイムＵＲＬをクリアし（ステップ９０９）、かざし誘導ランプ２１３を一旦消灯させた（ステップ９１０）、待機状態に戻る。
【０１０３】
図１０は、図１に示したポイントシステム１００で、かざし誘導ランプ２１３が点滅しているとき、携帯端末２０をアンテナ部１６にかざした場合の動作を示すシーケンスチャートである。
【０１０４】
かざし誘導ランプ２１３が点滅しているとき（ステップ１００１）、携帯端末２０がアンテナ部１６にかざされると、携帯端末検出部２０６により、これを検出して、認証部２０７と携帯端末２０との間の通信により相互認証が行われる。
【０１０５】
認証部２０７による相互認証により、この携帯端末２０がこのシステムで利用可と認証されると、タッチ成功音発生部２０９により、タッチ成功音を鳴動する（ステップ１００２）。
【０１０６】
そして、この場合は、図１に示した販売促進サイト（販売促進サーバ３２）にアクセスするためのワンタイムＵＲＬをアンテナ部１６から携帯端末２０に送信する。
【０１０７】
携帯端末２０は、この販売促進サーバ３２にアクセスするためのワンタイムＵＲＬの受信により、販売促進サーバ３２にアクセスするためのブラウザを起動し（ステップ１００３）、上記ワンタイムＵＲＬを用いて販売促進サーバ３２と接続し（ステップ１００４）、販売促進サーバ３２から販売促進情報を取得する。
【０１０８】
ポイント発行装置１５は、上記販売促進サーバ３２にアクセスするためのワンタイムＵＲＬを送信すると、かざし誘導ランプ２１３を一旦消灯させ（ステップ１００５）、待機状態に戻る。
【０１０９】
図１１は、携帯端末における販売促進サーバに対する接続操作を説明する図である。
【０１１０】
携帯端末２０は、ポイント発行装置１５から販売促進サイト（販売促進サーバ３２）にアクセスするためのワンタイムＵＲＬを受信すると、販売促進サイトサイトへアクセスするためのブラウザを自動起動して、図１１（Ａ）に示す販売促進サイトへの誘導画面を表示する。
【０１１１】
この図１１（Ａ）に示す販売促進サイトへの誘導画面において、「ＯＫ」を選択すると、図１１（Ｂ）に示す販売促進サイトへのアクセス確認画面になり、この画面において「はい」を選択すると、販売促進サーバ３２に接続され、図１１（Ｃ）に示す販売促進サイトの画面になる。携帯端末２０は、この販売促進サイトから各種の販売促進情報を取得することができる。
【実施例２】
【０１１２】
図１２は、本発明に係わるポイントシステムの実施例２の概略構成を示すブロック図である。なお、図１２においては、図１に示した実施例１のポイントシステム１００と同様の機能を果たす部分には説明の便宜上同一の符号を付する。
【０１１３】
図１に示した実施例１のポイントシステム１００においては、ポイント発行装置１５を、接続点１７ａ、ケーブル１９ａを介して第１の伝送ケーブル１７に接続するとともに、接続点１８ａ、ケーブル１９ｂを介して第２の伝送ケーブル１８に接続し、ポイント発行装置１５は、接続点１７ａ、ケーブル１９ａを介して第１の伝送ケーブル１７から給電を受けるとともに、接続点１８ａ、ケーブル１９ｂを介して第２の伝送ケーブル１８から受信した商品排出検出信号に基づきポイント情報を生成するように構成した。
【０１１４】
しかし、この場合、第２の伝送ケーブル１８から受信した商品排出検出信号は、商品が１個排出される毎に生じるパルス信号であり、排出した商品の種別情報は含まない。したがって、実施例１のポイントシステムのポイント発行装置１５で生成され、発行されるポイント情報は、販売した商品の個数には依存するが、販売した商品の種別には依存しないものとなる。
【０１１５】
そこで、実施例２のポイントシステム１２００においては、ポイント発行装置１５を、接続点１７ａ、ケーブル１９ａを介して第１の伝送ケーブル１７に接続し、ポイント発行装置１５は、接続点１７ａ、ケーブル１９ａを介して第１の伝送ケーブル１７から給電を受けるとともに、第１の伝送ケーブル１７を伝送される商品排出検出信号および排出した商品の種別を示す商品種別情報を取得して、この商品排出検出信号および商品種別情報に基づき、販売した商品の種別に依存したポイント情報を生成して発行するように構成される。
【０１１６】
すなわち、実施例２のポイントシステム１２００においては、自動販売機１０と、携帯端末２０と、インタネット３０に接続されたコンテンツサーバ３１、販売促進サーバ３２、ポイントサーバ３３とを具備して構成され、自動販売機１０は、主制御部１１、硬貨処理部１２、紙幣処理部１３、商品排出制御部１４、ポイント発行装置１５、ポイント発行装置１５に接続されたアンテナ部１６を具備し、硬貨処理部１２および紙幣処理部１３、商品排出制御部１４は、第１の伝送ケーブル１７を介して主制御部１１に接続され、ポイント発行装置１５は、第１の伝送ケーブル１７上の接続点１７ａとケーブル１９ａを介して接続される。
【０１１７】
ここで、商品排出制御部１４は、硬貨処理部１２および紙幣処理部１３で処理された投入貨幣に基づく主制御部１１からの指示により、販売商品の排出を制御するとともに、自動販売機１０からの商品の排出を示す商品排出検出信号および商品を蓄積する各カラムに対応した排出した商品の種別を示す商品種別信号を主制御部１１に返送する。
【０１１８】
上記構成において、この実施例２のポイントシステムのポイント発行装置１５においては、第１の伝送ケーブル１７から接続点１７ａ、ケーブル１９ａを介して商品排出検出信号に加えて商品種別情報を取得し、この取得した商品排出検出信号および商品種別情報に基づきポイント情報を生成する。
【０１１９】
このように構成すると、ポイント発行装置１５においては、販売した商品の個数だけではなく、販売した商品の価格、種別等に対応して木目の細かいポイント情報を生成、発行することができる。なお、その他の構成は、図１乃至図１１で説明した実施例１のポイントシステム１００と同様である。
【図面の簡単な説明】
【０１２０】
【図１】本発明に係わるポイントシステムの実施例１の概略構成を示すブロック図である。
【図２】図１に示したポイント発行装置の詳細を示すブロック図である。
【図３】図２に示したアンテナ部およびかざし誘導ランプの一例を示す図である。
【図４】図２に示したポイント発行装置の動作を説明するフローチャートである。
【図５】図１に示したポイントシステムで、ポイント情報が携帯端末からポイントサーバへ正常に送信された場合の動作を示すシーケンスチャートである。
【図６】携帯端末におけるポイントサーバに対する接続操作を説明する図である。
【図７】図１に示したポイントシステムで、ポイント情報を発行したが、携帯端末でこのポイント情報のポイントサーバへの送信に失敗した場合の動作を示すシーケンスチャートである。
【図８】図１に示したポイントシステムで、ポイント情報が携帯端末からポイントサーバ３３へ正常に送信された場合の他の動作を示すシーケンスチャートである。
【図９】図１に示したポイントシステムで、ポイント発行装置が、商品排出検出信号を受信し、かざし誘導ランプを点灯させ、かざし誘導音声案内をしたが、携帯端末で何もしなかった場合の動作を示すシーケンスチャートである。
【図１０】図１に示したポイントシステムで、かざし誘導ランプが点滅しているとき、携帯端末をアンテナ部にかざした場合の動作を示すシーケンスチャートである。
【図１１】携帯端末における販売促進サーバに対する接続操作を説明する図である。
【図１２】本発明に係わるポイントシステムの実施例２の概略構成を示すブロック図である。
【符号の説明】
【０１２１】
１０    自動販売機
１１    主制御部
１２    硬貨処理部
１３    紙幣処理部
１４    商品排出制御部
１５    ポイント発行装置
１６    アンテナ部
１７    第１の伝送ケーブル
１８    第２の伝送ケーブル
１７ａ、１７ｂ    接続点
１９ａ、１９ｂ    ケーブル
２０    携帯端末
３０    インタネット
３１    コンテンツサーバ
３２    販売促進サーバ
３３    ポイントサーバ
１００    ポイントシステム
１４１    商品排出カウンタ
２０１    制御部
２０２    商品排出検出信号受信部
２０３    ポイント情報生成部
２０４    ワンタイムＵＲＬ生成部
２０５    一時記憶部
２０６    携帯端末検出部
２０７    認証部
２０８    タイマ部
２０９    タッチ成功音発生部
２１０    音声案内部
２１１    かざし誘導ランプ制御部
２１３    かざし誘導ランプ
２１４    ケーブル
１２００    ポイントシステム
【図１】
2010092084.tif 000003
【図２】
2010092084.tif 000004
【図３】
2010092084.tif 000005
【図４】
2010092084.tif 000006
【図５】
2010092084.tif 000007
【図６】
2010092084.tif 000008
【図７】
2010092084.tif 000009
【図８】
2010092084.tif 000010
【図９】
2010092084.tif 000011
【図１０】
2010092084.tif 000012
【図１１】
2010092084.tif 000013
【図１２】
2010092084.tif 000014